(57)【要約】発熱組成物を手全体にあて、手を均等に暖めることができるカイロを提供し、該カイロを用いて手全体を暖めることができる手袋であって、かつ低温やけどを防ぎ、指等の関節が動かし易く作業等のしやすい手袋を提供する。  通気性素材で形成され、空気に接すると発熱する発熱組成物１１を収納する袋体１５と、袋体１５の裏面に設けられた接着部１３とを備え、手袋Ｇの外面に貼付けて使用されるカイロ１０であって、袋体１５が、手袋の甲の部分に貼付けられる主収容部１６と、主収容部１６の側方に設けられ、手袋Ｇの指の部分に貼付けられる副収容部１７とを備えている。
2005037155.tif 000002
【特許請求の範囲】
【請求項１】
通気性素材で形成され、空気に接すると発熱する発熱組成物を収納する袋体と、該袋体の裏面に設けられた接着部とを備え、手袋の外面に貼付けて使用されるカイロであって、
袋体が、
手袋の甲の部分に貼付けられる主収容部と、
該主収容部の側方に設けられ、手袋の指の部分に貼付けられる副収容部とを備えている
ことを特徴とするカイロ。
【請求項２】
通気性素材で形成され、空気に接すると発熱する発熱組成物を収納する袋体と、該袋体の裏面に設けられた接着部とを備え、手袋の表面に貼付けて使用されるカイロであって、
袋体が、
手袋の掌の部分に貼付けられる主収容部と、
該主収容部の側方に設けられ、手袋の指の部分に貼付けられる副収容部とを備えている
ことを特徴とするカイロ。
【請求項３】
前記袋体の前記主収容部と前記副収容部との間に、前記主収容部と前記副収容部の間を遮断するための遮断部が設けられている
ことを特徴とする請求項１または２記載のカイロ。
【請求項４】
前記副収容部が、複数の小収容部を備えており、
手の指の関節に対応する位置に、前記複数の小収容部間を遮断するための遮断部が設けられている
ことを特徴とする請求項１、２または３記載のカイロ。
【請求項５】
前記遮断部が、該遮断部によって遮断される収容部同士を切り離すための切断部を備えている
ことを特徴とする請求項３または４記載のカイロ。
【請求項６】
前記袋体が、裏面に接着部が設けられた裏面側シートと、該裏面側シートとの間に前記発熱組成物を収容する表面側シートとを備えており、
前記遮断部が、
前記表面側シートを前記裏面側シートに向けて窪ませ、その窪みの底部と前記裏面側シートとを接着することによって形成されている
ことを特徴とする請求項１、２、３、４または５記載のカイロ。
【請求項７】
前記収容部同士を、両者の間で折り曲げ可能に接続する屈曲部が設けられていることを特徴とする請求項１、２、３、４または６記載のカイロ。
【請求項８】
前記屈曲部が伸縮可能に形成された
ことを特徴とする請求項７記載のカイロ。
【請求項９】
連続する各収容部間に、連続する収容部同士の間を連結し、かつ連続する収容部間の相対的な位置を一定に保持するための形状保持部を備えており、
該形状保持部が、前記カイロを折り曲げると各収容部の間で分離する分離部を備えている
ことを特徴とする請求項１、２、３、４、５、６、７または８記載のカイロ。
【請求項１０】
前記袋体が、
前記主収容部の形状が、手袋において手の甲および掌が収容される部分の形状に形成されており、
前記副収容部の形状が、手袋において手の指が収容される部分の形状に形成されている
ことを特徴とする請求項１、２、３、４、５、６、７、８または９記載のカイロ。
【請求項１１】
前記袋体が、
前記副収容部を５つ備えており、
該５つの副収容部が、手の各指と同じ形状かつ手の各指に対応する位置に設けられている
ことを特徴とする請求項１、２、３、４、５、６、７、８、９または１０記載のカイロ。
【請求項１２】
前記袋体の前記主収容部と前記副収容部との間に、前記主収容部および前記副収容部よりも厚さが薄く、隣接する前記主収容部と前記副収容部との間を連通する連結部が設けられている
ことを特徴とする請求項１または２記載のカイロ。
【請求項１３】
前記副収容部が、複数の小収容部を備えており、
手の指の関節に対応する位置に、前記複数の小収容部間よりも厚さが薄く、隣接する小収容部同士間を連通する連結部が設けられている
ことを特徴とする請求項１２記載のカイロ。
【請求項１４】
手袋に入れて使用するインナー手袋であって、
該インナー手袋が、
手を入れるための本体と、
該本体における手の甲の側の表面に接着されたカイロとを備えており、
該カイロが、請求項１、２、３、４、５、６、７、８、９、１０、１１、１２または１３記載のカイロである
ことを特徴とする手袋。
【請求項１５】
手袋に入れて使用するインナー手袋であって、
該インナー手袋が、
手を入れるための本体と、
該本体における掌の側の表面に接着されたカイロとを備えており、
該カイロが、請求項１、２、３、４、５、６、７、８、９、１０、１１、１２または１３記載のカイロである
ことを特徴とする手袋。
【請求項１６】
カイロを備えた手袋であって、
手をカイロとともに収容するアウター手袋と、
手を入れるための本体を備え、該本体に手を入れた状態で前記アウター手袋に入れて使用されるインナー手袋と、
該インナー手袋において、その手の甲の側の表面に接着されたカイロとを備えており、
該カイロが、請求項１、２、３、４、５、６、７、８、９、１０、１１、１２または１３記載のカイロである
ことを特徴とする手袋。
【請求項１７】
カイロを備えた手袋であって、
手をカイロとともに収容するアウター手袋と、
手を入れるための本体を備え、該本体に手を入れた状態で前記アウター手袋に入れて使用されるインナー手袋と、
該インナー手袋において、その掌の側の表面に接着されたカイロとを備えており、
該カイロが、請求項１、２、３、４、５、６、７、８、９、１０、１１、１２または１３記載のカイロである
ことを特徴とする手袋。
【請求項１８】
前記アウター手袋が、滑りやすい生地からなる裏地を備えたものである
ことを特徴とする請求項１７記載の手袋。
【請求項１９】
前記カイロが、
請求項７、８又は９記載のカイロであって、前記インナー手袋の本体に手を入れたときにおいて、指の関節が配置される箇所に前記屈曲部が位置するように前記インナー手袋に接着されており、
前記アウター手袋が、
前記インナー手袋をその内部に入れたときに、該インナー手袋に接着されているカイロの屈曲部に対応する箇所に、該カイロの屈曲部の曲げに対応して、折り曲がる屈曲部を備えている
ことを特徴とする請求項１７または１８記載の手袋。
【請求項２０】
前記アウター手袋に、通気性を有する素材によって形成された通気部を備えていることを特徴とする請求項１９記載の手袋。
【請求項２１】
前記通気部が、前記アウター手袋の屈曲部に形成されている
ことを特徴とする請求項２０記載の手袋。
【発明の詳細な説明】
【技術分野】
【０００１】  本発明は、カイロまたはカイロつき手袋に関する。
【背景技術】
【０００２】  従来は、手の形状をした袋に発熱組成物をいれたカイロを、手袋に直接入れて使用するものがあった（実開Ｓ５７−１４９０２２（従来例Ｉ）、実開Ｓ６３−１９３０１７（従来例ＩＩ））。また、手の形状をしたカイロを挿入口がついた専用の手袋にいれて使用する加温手袋があった（実開Ｓ６０−１５６１１６（従来例ＩＩＩ））。【０００３】  しかるに、従来例Ｉ、ＩＩには、以下の（ｉ）〜（ｉｉｉ）に示す問題がある。
（ｉ）手の形状をした袋に発熱組成物をいれたカイロだと、発熱組成物が指先方向に集まってしまい、手の全体を均等にあたためることができないし、温めたい部分だけ温めるということができない。
（ｉｉ）カイロを手袋にいれて使用するので、手にカイロが直接あたり低温やけどをする危険性がある。
（ｉｉｉ）手袋にカイロが入っていると、指を折り曲げにくいため、作業がしにくい。【０００４】  また、従来例ＩＩＩは、カイロの指先に小袋があたるため手作業の邪魔になるという問題も有する。【０００５】
【特許文献１】実開Ｓ５７−１４９０２２号公報
【特許文献２】実開Ｓ６３−１９３０１７号公報
【特許文献３】実開Ｓ６０−１５６１１６号公報
【発明の開示】
【発明が解決しようとする課題】
【０００６】  本発明は上記事情に鑑み、発熱組成物を手全体にあて、手を均等に暖めることができるカイロを提供し、該カイロを用いて手全体を暖めることができる手袋であって、かつ低温やけどを防ぎ、指等の関節が動かし易く作業等のしやすい手袋を提供することを目的とする。
【課題を解決するための手段】
【０００７】  第１発明のカイロは、通気性素材で形成され、空気に接すると発熱する発熱組成物を収納する袋体と、該袋体の裏面に設けられた接着部とを備え、手袋の外面に貼付けて使用されるカイロであって、袋体が、手袋の甲の部分に貼付けられる主収容部と、該主収容部の側方に設けられ、手袋の指の部分に貼付けられる副収容部とを備えていることを特徴とする。
第２発明のカイロは、通気性素材で形成され、空気に接すると発熱する発熱組成物を収納する袋体と、該袋体の裏面に設けられた接着部とを備え、手袋の外面に貼付けて使用されるカイロであって、袋体が、手袋の掌の部分に貼付けられる主収容部と、該主収容部の側方に設けられ、手袋の指の部分に貼付けられる副収容部とを備えていることを特徴とする。
第３発明のカイロは、第１または２発明において、前記袋体の前記主収容部と前記副収容部との間に、前記主収容部と前記副収容部の間を遮断するための遮断部が設けられていることを特徴とする。
第４発明のカイロは、第１、２または３発明において、前記副収容部が、複数の小収容部を備えており、手の指の関節に対応する位置に、前記複数の小収容部間を遮断するための遮断部が設けられていることを特徴とする。
第５発明のカイロは、第３または４発明において、前記遮断部が、該遮断部によって遮断される収容部同士を切り離すための切断部を備えていることを特徴とする。
第６発明のカイロは、第１、２、３、４または５発明において、前記袋体が、裏面に接着部が設けられた裏面側シートと、該裏面側シートとの間に前記発熱組成物を収容する表面側シートとを備えており、前記遮断部が、前記表面側シートを前記裏面側シートに向けて窪ませ、その窪みの底部と前記裏面側シートとを接着することによって形成されていることを特徴とする。
第７発明のカイロは、第１、２、３、４または６発明において、前記収容部同士を、両者の間で折り曲げ可能に接続する屈曲部が設けられていることを特徴とする。
第８発明のカイロは、第７発明において、前記屈曲部が伸縮可能に形成されたことを特徴とする。
第９発明のカイロは、第１、２、３、４、５、６、７または８発明において、連続する各収容部間に、連続する収容部同士の間を連結し、かつ連続する収容部間の相対的な位置を一定に保持するための形状保持部を備えており、該形状保持部が、前記カイロを折り曲げると各収容部の間で分離する分離部を備えていることを特徴とする。
第１０発明のカイロは、第１、２、３、４、５、６、７、８または９発明において、前記袋体が、前記主収容部の形状が、手袋において手の甲および掌が収容される部分の形状に形成されており、前記副収容部の形状が、手袋において手の指が収容される部分の形状に形成されていることを特徴とする。
第１１発明のカイロは、第１、２、３、４、５、６、７、８、９または１０発明において、前記袋体が、前記副収容部を５つ備えており、該５つの副収容部が、手の各指と同じ形状かつ手の各指に対応する位置に設けられていることを特徴とする。
第１２発明のカイロは、第１または２発明において、前記袋体の前記主収容部と前記副収容部との間に、前記主収容部および前記副収容部よりも厚さが薄く、隣接する前記主収容部と前記副収容部との間を連通する連結部が設けられていることを特徴とする。
第１３発明のカイロは、第１２発明において、前記副収容部が、複数の小収容部を備えており、手の指の関節に対応する位置に、前記複数の小収容部間よりも厚さが薄く、隣接する小収容部同士間を連通する連結部が設けられていることを特徴とする。
第１４発明の手袋は、手袋に入れて使用するインナー手袋であって、該インナー手袋が、手を入れるための本体と、該本体における手の甲の側の表面に接着されたカイロとを備えており、該カイロが、第１、２、３、４、５、６、７、８、９、１０、１１、１２または第１３発明のカイロであることを特徴とする。
第１５発明の手袋は、手袋に入れて使用するインナー手袋であって、該インナー手袋が、手を入れるための本体と、該本体における掌の側の表面に接着されたカイロとを備えており、該カイロが、第１、２、３、４、５、６、７、８、９、１０、１１、１２または第１３発明のカイロであることを特徴とする。
第１６発明の手袋は、カイロを備えた手袋であって、手をカイロとともに収容するアウター手袋と、手を入れるための本体を備え、該本体に手を入れた状態で前記アウター手袋に入れて使用されるインナー手袋と、該インナー手袋において、その手の甲の側の表面に接着されたカイロとを備えており、該カイロが、第１、２、３、４、５、６、７、８、９、１０、１１、１２または第１３発明のカイロであることを特徴とする。
第１７発明の手袋は、カイロを備えた手袋であって、手をカイロとともに収容するアウター手袋と、手を入れるための本体を備え、該本体に手を入れた状態で前記アウター手袋に入れて使用されるインナー手袋と、該インナー手袋において、その掌の側の表面に接着されたカイロとを備えており、該カイロが、第１、２、３、４、５、６、７、８、９、１０、１１、１２または第１３発明のカイロであることを特徴とする。
第１８発明の手袋は、第１７発明において、前記アウター手袋が、滑りやすい生地からなる裏地を備えたものであることを特徴とする。
第１９発明の手袋は、第１７または１８発明において、前記カイロが、請求項７、８又は９記載のカイロであって、前記インナー手袋の本体に手を入れたときにおいて、指の関節が配置される箇所に前記屈曲部が位置するように前記インナー手袋に接着されており、前記アウター手袋が、前記インナー手袋をその内部に入れたときに、該インナー手袋に接着されているカイロの屈曲部に対応する箇所に、該カイロの屈曲部の曲げに対応して、折り曲がる屈曲部を備えていることを特徴とする。
第２０発明の手袋は、第１９発明において、前記アウター手袋に、通気性を有する素材によって形成された通気部を備えていることを特徴とする。
第２１発明の手袋は、第２０発明において、前記通気部が、前記アウター手袋の屈曲部に形成されていることを特徴とする。
【発明の効果】
【０００８】  第１発明によれば、カイロを手袋の外面に貼付けて使用するから、カイロが直接人の肌に触れることがない。したがって、カイロを手袋に取り付けたままで、作業等を行ったりしても、低温やけどをすることを防ぐことができる。そして、カイロを手袋に取り付けたままに作業等を行なうことができるし、副収容部内の発熱組成物によって最も寒さを感じやすい手の指も暖めることができるから、手袋自体の厚さや手袋の裏地の厚さを薄くしても、手を十分に暖めることができる。すると、手袋を付けたままであっても素手に近い感覚で、物品を掴んだり装置を操作するなどの作業等を行なうことができるから、手袋を着用したときの不自由さを解消することができるし、作業能率も向上させることができる。
第２発明によれば、カイロを手袋の表面に貼付けて使用するから、カイロが直接人の肌に触れることがない。したがって、カイロを手袋に取り付けたままに作業等を行なったりしても、低温やけどをすることを防ぐことができる。そして、カイロを手袋に取り付けたままに作業等を行なうことができるし、副収容部内の発熱組成物によって最も寒さを感じやすい手の指も暖めることができるから、手袋自体の厚さや手袋の裏地の厚さを薄くしても、手を十分に暖めることができる。すると、手袋を付けたままであっても素手に近い感覚で、装置を操作するなどの作業等を行なうことができるから、手袋を着用したときの不自由さを解消することができるし、作業能率も向上させることができる。
第３発明によれば、主収容部と副収容部の間に設けられた遮断部によって、発熱組成物が主収容部と副収容部の間で自由に移動することを防いでいる。このため、手袋をどのように動かせても、各収容部内に収容されている発熱組成物は、各収容部内に確実に保持されるから、手全体を均等に暖めることができる。
第４発明によれば、各小収容部間に設けられた遮断部によって、発熱組成物が各小収容部間で自由に移動することを防いでいる。このため、手袋をどのように動かせても、各小収容部内に収容されている発熱組成物は、各小収容部内に確実に保持されるから、手全体を均等に暖めることができる。
第５発明によれば、手の指を動かしたときに、指の関節の部分で袋体が切断されると、各小収容部が、手袋において手の指の関節間に位置する部分に独立して貼付けられた状態となる。すると、手の指を曲げ伸ばししても、手袋において手の各関節に対応する部分は、その伸縮や屈曲が袋体によって妨げられないので、手袋にカイロを貼付けても、手の指を自由に動かすことができる。
第６発明によれば、手の指を曲げ伸ばししたときに、袋体の表面側シートと裏面側シートには、手袋から同じ力が加わる。そして、各シートの指からの距離が小さいので、その力も小さくすることができる。したがって、指の関節を曲げたときに、各シートから手袋に加わる反力を小さくすることができ、指を曲げる負担を少なくすることができる。
第７発明によれば、各収容部同士の間に屈曲部が設けられているから、手を動かしたときに、屈曲部の部分で袋体を屈曲させることができる。よって、手を動かしたときに、袋体が関節を曲げる抵抗となることを防ぐことができる。
第８発明によれば、手を動かしたときに、関節の曲げ伸ばしに合わせて屈曲部が伸縮するから、袋体が関節を曲げる抵抗となることを防ぐことができる。
第９発明によれば、形状保持部によって連続する収容部同士の相対的な位置が保持されているから、手袋にカイロを接着するときに、カイロの形状が崩れることを防ぐことができ、接着を容易にすることができる。そして、手袋にカイロを接着したのち、手を動かせば、形状保持部が分離部において連続する収容部同士の間で分離するから、形状保持部が手の動きの邪魔になることを防ぐことができる。また、カイロが貼付けられた手袋を、他の手袋に入れるときに、形状保持部の表面が他の手袋の内面と接触し、カイロの袋体自体が他の手袋に接触しない。このため、カイロが貼付けられた手袋を、他の手袋に入れるときに、カイロの袋体が他の手袋に引っ掛かってカイロが手袋から剥がれることを防ぐことができる。
第１０発明によれば、カイロが手袋の形状に形成されているから、手袋にカイロを接着すれば、手の甲や掌だけでなく手の指も確実に暖めることができる。そして、手の指が収容される部分毎に副収容部が設けられているから、手を動かしたときに、カイロから手が受ける抵抗を少なくすることができる。
第１１発明によれば、カイロが手の形状に形成されているから、手の形状に形成された手袋にカイロを接着すれば、手の甲や掌だけでなく手の指も確実に暖めることができる。そして、手の指毎に副収容部が設けられているから、手を動かしたときに、カイロから手が受ける抵抗を少なくすることができる。
第１２発明によれば、主収容部と副収容部の間に設けられた連結部が、主収容部と副収容部よりも厚さが薄くなっているから、主収容部と副収容部との間における発熱組成物の移動を制限することができる。このため、手袋を動かせたときに、発熱組成物が他の収容部に移動して、各収容部内に収容されている発熱組成物の量が極端に少なくなることを防ぐことができる。しかも、主収容部と副収容部が完全に分離されているわけでないから、主収容部内の発熱組成物と副収容部内の発熱組成物との間における熱伝導性が保たれる。よって、主収容部と副収容部の温度差を少なくすることができるから、手全体をほぼ均等に暖めることができる。
第１３発明によれば、小収容部間に設けられた連結部が、小収容部よりも厚さが薄くなっているから、小収容部間における発熱組成物の移動を制限することができる。このため、手袋を動かせたときに、発熱組成物が他の小収容部に移動して、各小収容部内に収容されている発熱組成物の量が極端に少なくなることを防ぐことができる。しかも、隣接する小収容部間が完全に分離されているわけでないから、隣接する小収容部間における熱伝導性が保たれる。よって、隣接する小収容部間の温度差を少なくすることができるから、手全体をほぼ均等に暖めることができる。そして、複数の小収容部が１つの収容部のように機能するから、各小収容部の容積を小さくしても各収容部の温度を所定の温度以上に長時間保つことができる。
第１４発明によれば、インナー手袋を手にはめて、インナー手袋を付けたままで他の手袋に手を入れれば、カイロを手袋に取り付けたままに作業等を行なうことができる。そして、インナー手袋を介して手がカイロに接触する、言い換えれば、カイロが直接人の肌に触れることがないから、低温やけどをすることを防ぐことができる。また、インナー手袋に接着されているカイロによって最も寒さを感じやすい手の指も暖めることができるから、他の手袋は、それ自体の厚さや裏地の厚さを薄くしても、手を十分に暖めることができる。すると、他の手袋を付けていても素手に近い感覚で、物品を掴んだり装置を操作するなどの作業等を行なうことができるから、手袋を着用したときの不自由さを解消することができるし、作業能率も向上させることができる。
第１５発明によれば、インナー手袋を手にはめて、インナー手袋を付けたままで他の手袋に手を入れれば、カイロを手袋に取り付けたままに作業等を行なうことができる。そして、インナー手袋を介して手がカイロに接触する、言い換えれば、カイロが直接人の肌に触れることがないから、低温やけどをすることを防ぐことができる。また、インナー手袋に接着されているカイロによって最も寒さを感じやすい手の指も暖めることができるから、他の手袋は、それ自体の厚さや裏地の厚さを薄くしても、手を十分に暖めることができる。すると、他の手袋を付けていても素手に近い感覚で、装置を操作するなどの作業等を行なうことができるから、手袋を着用したときの不自由さを解消することができるし、作業能率も向上させることができる。
第１６発明によれば、インナー手袋を手にはめて、インナー手袋を付けたままでアウター手袋に手を入れれば、カイロを手袋に取り付けたままに作業等を行なうことができる。そして、インナー手袋を介して手がカイロに接触する、言い換えれば、カイロが直接人の肌に触れることがないから、低温やけどをすることを防ぐことができる。また、カイロによって手を暖めることができるから、アウター手袋の厚さを薄くしても、手を十分に暖めることができる。このため、防寒機能に制限されることなくアウター手袋を自由に構成することができるから、用途に応じて最適な構造を有するアウター手袋とすることができる。そして、アウター手袋の厚さを薄くした場合、アウター手袋を付けていても素手に近い感覚で、物品を掴んだり装置を操作するなどの作業等を行なうことができるから、手袋を着用したときの不自由さを解消することができるし、作業能率も向上させることができる。
第１７発明によれば、インナー手袋を手にはめて、インナー手袋を付けたままでアウター手袋に手を入れれば、カイロを手袋に取り付けたままに作業等を行なうことができる。そして、インナー手袋を介して手がカイロに接触する、言い換えれば、カイロが直接人の肌に触れることがないから、低温やけどをすることを防ぐことができる。また、カイロによって手を暖めることができるから、アウター手袋の厚さを薄くしても、手を十分に暖めることができる。このため、防寒機能に制限されることなくアウター手袋を自由に構成することができるから、用途に応じて最適な構造を有するアウター手袋とすることができる。よって、手袋を着用したときの不自由さを解消することができるし、作業能率も向上させることができる。
第１８発明によれば、アウター手袋が滑りやすい生地からなる裏地を備えているので、カイロ付きインナー手袋を収容する際に装着が容易である。
第１９発明によれば、カイロの屈曲部が、インナー手袋に手を入れたときにおいて手の関節に対応する位置に配置されており、かつアウター手袋の屈曲部が、その内部にインナー手袋に収容したときに、カイロの屈曲部に対応する箇所に設けられているから、手を動かしたときに、カイロおよびアウター手袋が関節を曲げる抵抗となることを防ぐことができる。
第２０発明によれば、通気部を通してアウター手袋内に外気を導入することができるから、アウター手袋内のカイロに確実に空気が供給される。よって、アウター手袋内であっても、カイロを確実に発熱させることができる。
第２１発明によれば、通気部をアウター手袋の屈曲部に形成しているから、アウター手袋の構造を簡単にすることができる。
【発明を実施するための最良の形態】
【０００９】  つぎに、本発明の実施形態を図面に基づき説明する。
本発明のカイロは、空気に接すると発熱する発熱組成物を、通気性素材で形成された袋体に封入したものであって、暖めたい箇所に貼付けて使用することができる簡易カイロであって、手袋に貼付けて使用するのに適した構造としたことに特徴を有するものである。【００１０】  図１は、本実施形態のカイロ１０の単体図であって、（Ａ）は平面図であり、（Ｂ）は縦断面図である。図１において、符号１５は、通気性を有するシートによって形成された袋体を示している。この袋体１５の裏面には、袋体１５を手袋に貼付けるための接着部１３が設けられている。【００１１】  図１および図２に示すように、袋体１５は、接着部１３によって手袋における手の甲の部分に貼付けられる主収容部１６と、主収容部１６の側方に設けられ、接着部１３によって手袋における手の指の部分に貼付けられる副収容部１７とを備えている。主収容部１６は、平面視で、その形状が、手袋Ｇにおいて手の甲が収容される部分と実質的に同一、または、実質的に相似形となるように形成されている。
副収容部１７は、５つ設けられており、５つの副収容部１７が、手袋Ｇにおいて手の指が収容される部分と実質的に同一、または、実質的に相似形となるように形成されている。言い換えれば、５つの副収容部１７は、手の各指と実質的に同一、または、実質的に相似形状であって、かつ手の各指に対応する位置に設けられている。
つまり、袋体１５、つまりカイロ１０は、そのカイロ１０が貼付けられる手袋Ｇの形状と、実質的に同一、または、実質的に相似形となるように形成されているのである。【００１２】  そして、袋体１５の主収容部１６内および副収容部１７内には、空気に接すると発熱する発熱組成物１１が収容されている。この発熱組成物１１の成分としては、例えば、鉄粉や水、活性炭、パーミキュライト、食塩等が使用されるが、特に限定はないが、主収容部１６や副収容部１７、後述する小収容部１８の大きさに合わせて最適なものを選択すればよく、例えば、内容積が小さい収容部には内容積が大きい収容部に比べて単位質量あたりの発熱量が大きい発熱組成物を採用すればよい。そして、発熱組成物と、発熱組成物同士を結合させておく粘着剤を混合して、主収容部１６等に入れておけば、発熱組成物の形状を所定の形状に保持しておくことができ、各収容部の厚さをほぼ一定の厚さに保持しておくことができるので好適である。この場合、粘着剤は、発熱組成物が発熱可能な量の空気と接触できる気孔を備えているものが好適である。【００１３】  したがって、図２に示すように、本実施形態のカイロ１０を手袋Ｇの外面に貼付ければ、主収容部１６によって手の甲を暖めることができ、副収容部１７によって手の指を暖めることができる。しかも、接着部１３によってカイロ１０を手袋Ｇの外面に固定することができるから、カイロ１０を付けたたままでも、物品を掴んだり、作業を行ったりすることができる。【００１４】  また、副収容部１７内に収容されている発熱組成物１１によって最も寒さを感じやすい手の指までも暖めることができるから、手袋Ｇ自体の厚さや、手袋Ｇの内面に取り付けられる裏地を薄くしても、手を十分に暖めることができる。そして、手袋Ｇ自体の厚さが薄くなると、手袋を付けたままであっても素手に近い感覚で、物品を掴んだり装置を操作するなどの作業等を行なうことができるから、手袋を着用したときの不自由さを解消することができるし、作業能率も向上させることができる。【００１５】  さらに、接着部１３によってカイロ１０を手袋Ｇに固定するから、手袋Ｇに、カイロ１０を取り付けるための特別な構造を設ける必要がない。このため、市販されている一般的な手袋や、現在使用している手袋にそのまま貼付けて使用できる。
そして、カイロ１０は手袋Ｇの外面に貼付けられるから、カイロが直接人の肌に触れることがない。したがって、カイロ１０を取り付けたままで長時間手袋Ｇの付けていても、低温やけどをすることを防ぐことができる。【００１６】  なお、副収容部１７は５つ設けなくてもよく、各手袋における指を入れる部分と同じ数だけ設けてあればよい。例えば、図４（Ｃ）、（Ｄ）に示すように、ミトン型の手袋Ｇに貼付けて使用するのであれば、副収容部１７は２つでもよく、また、指を入れる部分が３つある手袋に貼付けて使用するのであれば、副収容部１７は３つあればよい。この場合であっても、各副収容部１７の形状は、各手袋における指を入れる部分と実質的に同一、または、実質的に相似形となるように形成するのはいうまでもない。【００１７】  さらに、本実施形態のカイロ１０は、手袋における掌の部分に主収容部１６を貼付けて使用することも可能である。この場合には、副収容部１７も、手袋の指掌側の面に貼付けられることとなる。【００１８】  図１に示すように、本実施形態のカイロ１０の主収容部１６と副収容部１７との間には、両者の間を遮断する遮断部２０が設けられている。この遮断部２０は、カイロ１０を手袋Ｇに貼付けたときに、手の甲と指との間の関節の部分に位置するように配設されている。この遮断部２０は、袋体１０において、表面側シート１５ｂを、裏面に接着部１３が設けられた裏面側シート１５ａに向けて窪ませ、その窪みの底部と前記裏面側シートとを接着することによって形成されている。
この遮断部２０が設けられているので、主収容部１６と副収容部１７にそれぞれ収容されている発熱組成物１１は、主収容部１６と副収容部１７の間で自由に移動できない。このため、手袋をどのように動かせても、主収容部１６と副収容部１７内には、常に一定の量の発熱組成物１１が保持されることになる。よって、主収容部１６および副収容部１７に保持される発熱組成物１１の量の調整が自在であるから、主収容部１６および副収容部１７における発熱量を調整することができ、手の甲を暖める温度と、指を暖める温度を変えることができるし、例えば、各収容部の表面積あたりの重さが同じになるように主収容部１６および副収容部１７に入れておけば、手全体を均等に暖めることもできる。【００１９】  そして、遮断部２０が上記のごとき構造を有しているから、いずれのシートも指からの距離が小さくなるから、手の指を曲げ伸ばししたときに、手袋Ｇから各シートに加わる力が小さくなる。しかも、指から各シートまでの距離が、ほぼ同じ長さとなり、手の指を曲げ伸ばししたときに、袋体１５の表面側シート１５ｂと裏面側シート１５ａには、手袋Ｇからほぼ同じ力が加わる。したがって、指の関節を曲げたときに、カイロ１０の袋体１５の各シートから手袋Ｇに加わる反力を小さくすることができるから、手袋Ｇにカイロ１０を貼付けても、指を曲げる負担を少なくすることができる。
つまり、遮断部２０は、特許請求の範囲にいう屈曲部の機能も有しているのである。【００２０】  また、図１に示すように、本実施形態のカイロ１０の副収容部１７は、複数の小収容部１８を備えており、各収容部同士の間には、両者の間を遮断する指側遮断部２１が設けられている。この遮断部２１は、カイロ１０を手袋Ｇに貼付けたときに、各指の関節の部分に位置するように配設されている。この指側遮断部２１は、袋体１０において、表面側シート１５ｂを、裏面に接着部１３が設けられた裏面側シート１５ａに向けて窪ませ、その窪みの底部と前記裏面側シート１５ａとを接着することによって形成されている。つまり、指側遮断部２１は、前記遮断部２０と実質的に同じ構造で形成されているのである。
このため、手袋Ｇをどのように動かせても、各小収容部１８内には、常に一定の量の発熱組成物１１が保持されることになり、かつ各小収容部１８内に保持される発熱組成物１１の量の調整が自在であるから、各小収容部１８の発熱量を調整することができ、指の位置によって暖める温度を変えたり、均等に暖めたりすることができる。
そして、指側遮断部２１が、遮断部２０と同様の構造を有しており、指の関節を曲げたときに、カイロ１０の袋体１５の各シートから手袋Ｇに加わる反力を小さくすることができるから、手袋Ｇにカイロ１０を貼付けても、指を曲げる負担を少なくすることができる。【００２１】  なお、遮断部２０の構造は上記の構造に限られず、主収容部１６と副収容部１７との間を遮断することができる構造であれば、とくに限定はない。そして、遮断部２０は、図１のように直線上に形成してよいが、指の付け根の間接の配置に近づけるように、曲線状に形成してもよく、曲線状に形成すると指の動きに対するカイロ１０の抵抗を少なくすることができる（図７）。
さらになお、遮断部２０および指側遮断部２１に皺を形成したり（図３（Ｂ）参照）、各シートの素材に伸縮性を有する素材を使用したりすれば、指の関節を曲げたときに、カイロ１０の袋体１５の各シートから手袋Ｇに加わる反力を小さくすることができる。
さらになお、遮断部２０および指側遮断部２１を、特許請求の範囲にいう屈曲部の機能を有するように構成しなくてもよく、各収容部間に屈曲部を独立して設けてもよい。例えば、各収容部間に皺を形成して屈曲部としてもよいし、各収容部間を伸縮性を有する素材によって接続させて屈曲部としてもよい。つまり、屈曲部は、手を動かしたときに、カイロ１０の袋体１５が関節を曲げる抵抗となることを防ぐことができるような構造であればよく、とくに限定はない。【００２２】  さらになお、遮断部２０および指側遮断部２１に代えて、主収容部１６と副収容部１７の間に連結部２０Ｂを設け、小収容部１８間に連結部２０Ｂと実質同様の構成を有する指側連結部２１Ｂを設けてもよい（図１１）。連結部２０Ｂおよび指側連結部２１Ｂを、主収容部１６や副収容部１７、各小収容部１８よりも厚さが薄くなる、言い換えれば、表面側シート１５ｂと裏面側シート１５ａの間の距離が主収容部１６等に比べて短くなるように形成しておけば、主収容部１６と副収容部１７の間、および、隣接する小収容部１８間における発熱組成物１１の移動を制限することができる。このため、手袋Ｇを動かせたときに、発熱組成物１１が副収容部１７から主収容部１６、または、他の小収容部１８に移動して、副収容部１７や各小収容部１８内に収容されている発熱組成物１１の量が極端に少なくなることを防ぐことができる。しかも、主収容部１６と副収容部１７の間や隣接する小収容部１８間が完全に分離されているわけでないから、主収容部１６と副収容部１７の間、および、隣接する小収容部１８間における熱伝導性が保たれる。すると、主収容部１６で発生した熱も副収容部１７に伝えることができ、また、温度の高い小収容部１８から温度の高い小収容部１８、言い換えれば、容積の大きい小収容部１８から容積の小さい小収容部１８に熱を伝えることができる。よって、主収容部１６と副収容部１７の間、および、隣接する小収容部１８間の温度差を少なくすることができるから、手全体をほぼ均等に暖めることができる。そして、主収容部１６と副収容部１７や、複数の小収容部が１つの収容部のように機能するから、副収容部１７や各小収容部１８の容積を小さくしても副収容部１７や各小収容部１８の温度を所定の温度以上に長時間保つことができる。とくに、主収容部１６と全ての副収容部１７の間、および、各副収容部１７における全ての小収容部１８の間を連結部２０Ｂおよび指側連結部２１Ｂによって連結すれば、全体で一つの発熱体を形成している状態に近づけることができるから、副収容部１７や各小収容部１８の温度を所定の温度以上に長時間保つ効果をより一層高めることができる。【００２３】  さらになお、副収容部１７に設ける小収容部１８の数は２つでもよく、この場合には、指側遮断部２１は副収容部１７に１つ設ければよい（図４（Ｂ）、（Ｄ）参照）。また、副収容部１７に小収容部１８を設けなくてもよく、この場合には指側遮断部２１は設けなくてもよい。そして、遮断部２０も設けなくてもよい（図４（Ａ）参照）。【００２４】  さらになお、遮断部２０を指と手の甲との間の関節の部分に設けず、手の甲の部分に設けてもよい（図９）。この場合には、４つの副収容部１７が互いに連通された状態となり、副収容部１７間を発熱組成物１１が移動できる。つまり、各副収容部１７に収容されている発熱組成物１１同士が完全に分離されず、随時接触しあう状態となる。すると、４つの副収容部１７が全体で一つの発熱体を形成している状態に近づけることができるから、一の副収容部１７内に収容されている発熱組成物１１の量が少なくても、十分な発熱量を得ることができる。とくに、遮断部２０の位置および発熱組成物１１の量を調整して、常に、４つの副収容部１７に収容されている発熱組成物１１同士が接触し、かつ、各副収容部１７内の発熱組成物１１の量が一定の量よりも少なくならないように調整しておけば、各副収容部１７の発熱量が所定の発熱量よりも低下しないので、全ての指を確実に暖めることができる。なお、図９（Ｂ）のように、隣接する副収容部１７の連続する部分、いわゆる指の股の部分が滑らかな曲線状となるようにしておけば、隣接する副収容部１７間の発熱組成物１１の移動がスムースになり、指の股の部分で隣接する副収容部１７に収容されている発熱組成物１１同士が接触している確率を高くすることができる。
さらになお、各指毎の温度差を設けたい場合などには、図１０（Ａ）に示すように、各副収容部１７の長さを長くしておけば、隣接する副収容部１７の影響を抑えることができるので、好適である。とくに、図１０（Ｂ）に示すように、主収容部１６が全くない状態にすれば、各副収容部１７の温度を自由に調整することができるので、好適である。そして、図１０（Ｂ）に示すように、５本の指に対応する全ての各副収容部１７の一端（図１０（Ｂ）では下端）がカイロ１０の手首側の端部まで伸びている場合には、カイロ１０を製造する段階において、各副収容部１７に同時かつ簡単に発熱組成物１１を投入することができる。また、カイロ１０の手首側の端部を密封するだけで全ての副収容部１７を一度に密封することができるから、５本の指に対応する副収容部１７を設けたカイロ１０であっても、その製造を容易にすることができる。【００２５】（さらに、図３（Ａ）に示すように、遮断部２０および指側遮断部２１にミシン面ｍを形成しておき、指の関節を曲げたときにこのミシン目ｍで袋体１５が分離ずる、つまり、カイロ１０が、手袋Ｇに貼付いた状態で、各収容部毎に分離されるように形成してもよい。この場合、本実施形態のカイロ１０を手袋Ｇに貼付けた後、指の関節を曲げてミシン目ｍで袋体１５が分離ずると、各収容部が、手袋Ｇにおいて、手の関節同士の間に独立して貼付けられた状態となる。すると、手の指を曲げ伸ばししても、手袋Ｇにおいて手の各関節に対応する部分は、その伸縮や屈曲が袋体１５によって妨げられないので、手袋Ｇにカイロ１０を貼付けても、手の指を自由に動かすことができる。
この場合には、図３（Ｃ）に示すように、連続する収容部同士の間を連結する形状保持部２５を設けておけば、手袋Ｇにカイロ１０を接着するときに、ミシン目ｍの部分で各収容部毎が分離することを防ぐことができるから、カイロ１０の形状が崩れることを防ぐことができ、カイロ１０を手袋Ｇに容易に接着をすることができる。
また、カイロ１０が貼付けられた手袋Ｇを他の手袋に入れて使用する場合には、形状保持部２５の表面が他の手袋の内面と接触することになり、カイロ１０の袋体１５自体が他の手袋に接触しない。このため、カイロ１０が貼付けられた手袋Ｇを他の手袋に入れるときに、カイロ１０の袋体１５が他の手袋に引っ掛かってカイロ１０が手袋Ｇから剥がれることを防ぐことができる。
そして、形状保持部２５は、パルプ素材の不織布等のように簡単に破れる素材によって形成すれば、手袋Ｇにカイロ１０を接着したのち、手を動かせば、形状保持部２５が分離部において連続する収容部同士の間で分離するから、形状保持部２５が手の動きの邪魔になることを防ぐことができる。また、カイロ１０のミシン目ｍと対応する位置にミシン目等、力が加わると簡単に破れるような構造を設けておいても、形状保持部２５が簡単に分離するから、形状保持部２５が手の動きの邪魔になることを防ぐことができる。
なお、上記のミシン目ｍが特許請求の範囲にいう分離部である。
さらになお、分離部はミシン目に限られず、指の関節を曲げたときに、連続する収容部同士の間で袋体１５が分離するような構成であれば、特に限定はない。【００２６】  さらになお、カイロ１０は、通常手の形状のまま手袋Ｇに貼付けて使用するが、分離部において各収容部毎が分離できるような構成を有している場合には、各収容部を分離して、分離された個々の収容部を所望の位置に貼付けて使用してもよい。例えば、図１において、遮断部２０および指側遮断部２１にミシン目ｍが形成されている場合には、遮断部２０において副収容部１７を主収容部１６から分離して、手袋Ｇの指の部分に貼付けて使用してもよいし、主収容部１６だけを手袋Ｇの甲の部分に貼付けて使用してもよい。すると、手おいて暖めたい場所だけを暖めることも可能である。
そして、指などにケガをしている場合、指を暖めることはケガを悪化させることになるが、指の先端部分の小収容部１８だけを取り外して手袋Ｇに貼付けて使用すれば、ケガした部分以外は確実に暖めることができる。【００２７】  つぎに、本発明の手袋を説明する。
本発明の手袋は、カイロを備えた手袋であって、手を、インナー手袋が貼付けられたカイロとともに収容するアウター手袋を備えたものである。言い換えれば、アウター手袋と、カイロと、このカイロが貼付けられたインナー手袋とから構成された防寒用手袋である。
本発明の手袋の用途としては、例えば、一般的に使用される防寒手袋や、スキー用の手袋等のスポーツ用手袋、オートバイ用のグローブなどのアウトドア用手袋、戸外作業用の作業手袋などがあるが、これらの作業等を行なうときに、手の機能が低下することを防ぐために手を暖めることが必要な場所で使用される手袋であれば、とくに限定はない。【００２８】  図５は本実施形態の手袋１の説明図あって、（Ａ）はインナー手袋２の単体説明図であり、（Ｂ）はカイロ１０が接着されたインナー手袋２の概略説明図であり、（Ｃ）はアウター手袋５の概略説明図である。図６は本実施形態の手袋１の概略拡大断面図である。【００２９】  図５において、符号２は、本実施形態の手袋１のインナー手袋２を示している。このインナー手袋２は、手を入れるための本体２ａを備えている。この本体２ａは、一般的な手袋に比べて薄い素材、例えば、ポリエステル等の合成繊維系の素材によって形成された不織布や綿スムース生地等によって形成されているが、とくに限定はない。【００３０】  このインナー手袋２には、その手の甲の側の表面に、上述したカイロ１０が貼付けられている。このカイロ１０は、上述した遮断部２０および指側遮断部２１を備えている。このカイロ１０は、遮断部２０および指側遮断部２１の位置が、インナー手袋２内に収容された手の指の関節が配置される箇所に配置されるように、インナー手袋２の本体２ａに貼付けられている。なお、インナー手袋２は、カイロ１０が貼付けられた状態で、カイロ１０とともに密封され提供されてもよいし、カイロ１０と別に提供されてもよく、とくに限定はない。【００３１】  アウター手袋５は、インナー手袋２を、その表面に貼付けられたカイロ１０とともにその内部に収容するものである。このアウター手袋５は、インナー手袋２をその内部に入れたときに、インナー手袋２に接着されているカイロ１０の遮断部２０および指側遮断部２１に対応する箇所で裏地７、および表地９が分離しており、その分離している部分を連結するように、例えばゴム式布地やネオプレンゴム生地等の伸縮性のある生地６が取り付けられている。【００３２】  このため、インナー手袋２を手にはめて、インナー手袋２を付けたままでアウター手袋５内に手を入れれば、カイロ１０を手袋１に取り付けたままでも作業等を行なうことができる。そして、インナー手袋２を介して手がカイロ１０に接触する、言い換えれば、カイロ１０が直接人の肌に触れることがないから、低温やけどをすることを防ぐことができる。
また、カイロ１０によって手を暖めることができるから、アウター手袋５の厚さを薄くしても、手を十分に暖めることができる。このため、防寒機能に制限されることなくアウター手袋５を自由に構成することができるから、用途に応じて最適な構造を有するアウター手袋５とすることができる。よって、アウター手袋５を着用したときの不自由さを解消することができるし、作業能率も向上させることができる。そして、インナー手袋２、カイロ１０、アウター手袋５が一体となって防寒機能を発揮するから、アウター手袋５の防寒機能を、インナー手袋２およびカイロ１０に一部負担させるだけでなく、アウター手袋５だけの場合に比べて、防寒機能をより一層高めることができる。そして、カイロ１０が発生する熱が逃げることをアウター手袋５が防ぐので、インナー手袋２およびアウター手袋５が一体となって、カイロ１０の暖房機能をより一層高めることができる。【００３３】  なお、アウター手袋５の内面に、滑りやすい生地、例えば、トリコット布地等の表面が滑らかで摩擦抵抗の小さい裏地７を設けておけば、カイロ１０が貼付けられているインナー手袋２をアウター手袋５内に収容する際に、裏地７がカイロ１０に引っかかったりすることを防ぐことができるので、インナー手袋２を容易にアウター手袋５に装着することができる。【００３４】  さらになお、アウター手袋５の外面に、公知の撥水性薬剤等に塗布して防水性や撥水性を付与する処理、いわゆる防水加工等を行えば、水に濡れる可能性がある場所や作業等であっても、カイロ１０が貼付けられているインナー手袋２を収容した状態で本実施形態の手袋１を使用できるので、好適である。
さらになお、アウター手袋５の素材に、公知の撥水性薬剤等に塗布または含浸させる等ことによって防水加工等を行い、その素材によってアウター手袋５を製造しても、上記と同様に、水に濡れる可能性がある場所や作業等であっても、カイロ１０が貼付けられているインナー手袋２を収容した状態で本実施形態の手袋１を使用できるので、好適である。【００３５】  さらになお、インナー手袋２に貼付けられているカイロ１０が、その表面に形状保持部材２５が設けられている場合には、カイロ１０の袋体１５自体がアウター手袋５に接触しないから、カイロ１０の袋体１５がアウター手袋５に引っ掛かってカイロ１０がインナー手袋２から剥がれることを防ぐことができる。
さらになお、インナー手袋２の外面における手首近傍において、手の甲および掌の両側、または、いずれか一方の側（掌の側、または、手の甲の側）に、例えば、面状ファスナー等の連結部材２ｂを設け、アウター手袋５の内面におけるインナー手袋２の連結部材２ｂと対応する位置に、例えば、面状ファスナー等の連結部材５ｂを設けておいてもよい（図８（Ａ））。すると、連結部材２ｂ，５ｂによってインナー手袋２とアウター手袋５を連結することができるから、手袋１から手を抜くときに、手と共にインナー手袋２が抜けることを防ぐことができ、インナー手袋２を有する手袋１の着脱を容易にすることができる。とくに、インナー手袋２の手首近傍に加えて、各指の指先近傍にも面状ファスナー等の連結部材を設けておけば、手袋１から手を抜くときに、手と共にインナー手袋２が抜けることをより確実に防ぐことができる。なお、アウター手袋５の裏地素材として、起毛した裏地素材を使用すれば、インナー手袋２だけに連結部材２ｂを設ければ、インナー手袋２とアウター手袋５を連結できるから、アウター手袋５の製造を容易にでき、かつ製造コストも抑えることができる。【００３６】  そして、カイロ１０が、その遮断部２０および指側遮断部２１がインナー手袋２内の手の関節が配置される箇所に配置されるようにインナー手袋２に取り付けられており、かつ、アウター手袋５には、その内部にインナー手袋２を収容したときにカイロ１０の遮断部２０および指側遮断部２１に対応する箇所に、伸縮性のある生地６を設けられている。このため、手を動かしたときに、カイロ１０の遮断部２０および指側遮断部２１が屈曲すると、生地６が、カイロ１０の遮断部２０および指側遮断部２１屈曲に対応して伸びるから、アウター手袋５が関節を曲げる抵抗となることを防ぐことができる。この生地６が、特許請求の範囲に言う屈曲部である。【００３７】  なお、この生地６として、伸縮性だけでなく通気性を有する素材、例えばオペロンニット等を使用すれば、生地６を通してアウター手袋５内に外気を導入することができるから、アウター手袋５内のカイロ１０に確実に空気が供給される。よって、アウター手袋５内であっても、カイロ１０を確実に発熱させることができる。この場合には、生地６が、特許請求の範囲に言う通気部の機能も有することになる。
さらになお、生地６に通気性を有する素材を使用すれば、アウター手袋５を簡単な構造としたままで通気部を設けることができるが、生地６に通気性を有する素材を使用せずに、アウター手袋５において、インナー手袋２を収容したときにカイロ１０の遮断部２０および指側遮断部２１に対応する箇所Ｊから少しずれた位置に、通気性を有する素材によって形成された通気部９を設けてもよい（図８（Ｂ））。この場合には、通気部の内方には、カイロ１０の主収容部１６および副収容部１７が位置することとなるので、通気部９を通してアウター手袋５内に入った空気をより効果的にカイロ１０の主収容部１６および副収容部１７に供給することができる。なお、図８には、生地６は記載されていないが、通気部９とともに生地６、すなわち屈曲部を設けてもよいことはいうまでもない。【００３８】  さらになお、アウター手袋５において、その内部にインナー手袋２を収容したときに、カイロ１０の副収容部１７や主収容部１６に対応する箇所に、硬質ウレタンなどの保護部材８を設けてもよい。この場合、転倒したときや物体に接触したとき等に、保護部材８によって指や手を保護することができる。【００３９】  さらになお、このインナー手袋２は、その手の掌側の表面に、上述したカイロ１０が貼付けたものでもよい。
【産業上の利用可能性】
【００４０】  本願発明のカイロは、様々な手袋に貼付けて使用することができるし、本願発明の手袋は、一般的に使用される防寒手袋や、スキー用の手袋等のスポーツ用手袋、オートバイ用のグローブなどのアウトドア用手袋、戸外作業用の作業手袋等、作業等を行なうときに、手の機能が低下することを防ぐために手を暖めることが必要な場所で使用される手袋に適用することができる。
【図面の簡単な説明】
【００４１】［図１］本実施形態のカイロ１０の単体図であって、（Ａ）は平面図であり、（Ｂ）は縦断面図である。
［図２］本実施形態のカイロ１０を手袋Ｇに接着した状態の概略説明図である。
［図３］各収容部間の拡大説明図である。
［図４］他の実施形態のカイロ１０の説明図である。
［図５］本実施形態の手袋１の説明図あって、（Ａ）はインナー手袋２の単体説明図であり、（Ｂ）はカイロ１０が接着されたインナー手袋２の概略説明図であり、（Ｃ）はアウター手袋５の概略説明図である。
［図６］本実施形態の手袋１の概略拡大断面図である。
［図７］他の実施形態のカイロ１０の概略説明図である。
［図８］（Ａ）、（Ｂ）は他の実施形態のインナー手袋２およびアウター手袋５の概略説明図である。
［図９］他の実施形態のカイロ１０の概略説明図である。
［図１０］他の実施形態のカイロ１０の説明図である。
［図１１］他の実施形態のカイロ１０を手袋Ｇに接着した状態の概略説明図である。
【符号の説明】
【００４２】  １    手袋
２    インナー手袋
５    アウター手袋
９    通気部
１０    カイロ
１１    発熱組成物
１３    接着部
１５    袋体
１６    主収容部
１７    副収容部
１８    小収容部
２０    遮断部
２０Ｂ  連結部
２１    指側遮断部
２１Ｂ  指側連結部
２５    形状保持部材
【図１】
2005037155.tif 000003
【図２】
2005037155.tif 000004
【図３】
2005037155.tif 000005
【図４】
2005037155.tif 000006
【図５】
2005037155.tif 000007
【図６】
2005037155.tif 000008
【図７】
2005037155.tif 000009
【図８】
2005037155.tif 000010
【図９】
2005037155.tif 000011
【図１０】
2005037155.tif 000012
【図１１】
2005037155.tif 000013
【国際調査報告】
2005037155.tif 000014
2005037155.tif 000015
2005037155.tif 000016
2005037155.tif 000017